(57)【要約】  媒体に保存される医用画像を管理し、医用画像とともに媒体に保存される管理ファイルであるDICOMDIRファイルのサイズ総量を小さくして、データの読み書きにおける応答性を向上させるために、本発明は、媒体に保存される医用画像群の管理ファイルから規則性を抽出し、抽出された規則性に基づいて管理ファイルを圧縮する。具体的には、医用画像を媒体に保存する媒体入出力部と、媒体に保存される複数の医用画像の選択を受け付ける選択部と、選択された複数の医用画像を管理する管理ファイルを作成する管理ファイル作成部と、前記管理ファイルから規則性を抽出する規則性抽出部と、前記規則性に基づいて前記管理ファイルを圧縮して媒体に保存する圧縮部と、を備えることを特徴とする。
2015008650.tif 000002
【特許請求の範囲】
【請求項１】
媒体に保存される複数の医用画像の選択を受け付ける選択部と、
選択された複数の医用画像を管理する管理ファイルを作成する管理ファイル作成部と、
前記管理ファイルから規則性を抽出する規則性抽出部と、
前記規則性に基づいて前記管理ファイルを圧縮して前記媒体に保存する圧縮部と、
を備えることを特徴とする医用画像管理装置。
【請求項２】
請求項1に記載の医用画像管理装置において、
前記管理ファイルのデータを、前記管理ファイル中のある項目に従って並べ替える並べ替え部を更に備え、
前記規則性抽出部は、データが並べ替えられた管理ファイルから規則性を抽出することを特徴とする医用画像管理装置。
【請求項３】
請求項2に記載の医用画像管理装置において、
前記並べ替え部によってデータが並べ替えられた管理ファイルのデータを並べ戻す並べ戻し部をさらに備えることを特徴とする医用画像管理装置。
【請求項４】
請求項3に記載の医用画像管理装置において、
前記並べ替え部は、データが並べ替えられる前の管理ファイルのデータの並び順を示す並べ替え前番号を付与し、
前記並べ戻し部は、データが並べ替えられた管理ファイルのデータを前記並べ替え前番号に基づいて並べ戻すことを特徴とする医用画像管理装置。
【請求項５】
請求項2に記載の医用画像管理装置において、
前記並べ替え部は、データが並べ替えられた管理ファイルのデータをさらに並べ替えることを特徴とする医用画像管理装置。
【請求項６】
請求項1に記載の医用画像管理装置において、
前記規則性抽出部は、
前記管理ファイルから数値データを抽出し、
前記数値データの並びの中から基準値を設定するともに、前データとの差分値を算出し、
前記基準値と前記差分値を前記規則性として記録することを特徴とする医用画像管理装置。
【請求項７】
請求項1に記載の医用画像管理装置において、
前記規則性抽出部は、
前記管理ファイルから文字データを抽出し、
前記文字データの並びの中から前データと等しいデータが並ぶデータ範囲を抽出し、
抽出されたデータ範囲の先頭データを基準データとして設定し、
前記基準データと、前データと等しいデータであることを前記規則性として記録することを特徴とする医用画像管理装置。
【請求項８】
請求項1に記載の医用画像管理装置において、
前記圧縮部によって圧縮された管理ファイルを前記規則性に基づいて解凍する解凍部をさらに備えることを特徴とする医用画像管理装置。
【請求項９】
媒体に保存される複数の医用画像の選択を受け付ける選択ステップと、
選択された複数の医用画像を管理する管理ファイルを作成する管理ファイル作成ステップと、
前記管理ファイルから規則性を抽出する規則性抽出ステップと、
前記規則性に基づいて前記管理ファイルを圧縮して前記媒体に保存する圧縮ステップと、
を備えることを特徴とする医用画像管理方法。
【発明の詳細な説明】
【技術分野】
【０００１】
本発明はX線撮影装置、X線CT装置、MRI装置、超音波診断装置、核医学診断装置を含む医用画像診断装置から取得された医用画像を表示する医用画像管理装置及び医用画像管理方法に係り、CDやDVD等の外部リムーバブルメディアに保存されている医用画像を高速に一覧表示する技術に関する。
【背景技術】
【０００２】
X線撮影装置、X線CT装置、MRI装置、超音波診断装置、核医学診断装置を含む医用画像診断装置から取得された医用画像は、CDやDVD等の外部リムーバブルメディア(以下、媒体と呼ぶ)にDICOM(Digital Image Communication in Medicine)形式で保存される。媒体に保存される医用画像は、DICOMDIRファイルにより管理される。DICOMDIRファイルは、患者単位や検査単位などに分類した階層構造で医用画像を管理するファイルであり、医用画像とともに媒体に保存される。【０００３】
一方、医用画像診断装置の発展、特にマルチスライスCT装置の多列化にともない、医用画像の枚数は膨大になり、医用画像を管理するファイルであるDICOMDIRファイルのサイズも大きくなってきている。DICOMDIRファイルのサイズが大きくなると、媒体内のデータの読み書きに時間がかかるようになる。【０００４】
特許文献1では、媒体内のデータの読み書き等における応答性の遅さを解消するために、媒体内の記憶領域を複数の記憶区分に分割し、各記憶区分に所定の規則に従って各医用画像が割り当てられ、割り当てられた医用画像に基づき記憶区分毎に管理情報であるDICOMDIRファイルを作成することが開示されている。記憶区分ごとにDICOMDIRファイルが作成されるので、記憶区分単位ではDICOMDIRファイルのサイズが小さくなり、応答性の遅さを解消できる。
【先行技術文献】
【特許文献】
【０００５】
【特許文献１】特開2011-128716号公報
【発明の概要】
【発明が解決しようとする課題】
【０００６】
しかしながら、特許文献1では、分割された記憶区分単位ではDICOMDIRファイルのサイズが小さくなるものの媒体内のDICOMDIRファイルのサイズ総量は変わらないので、異なる記憶区分にまたがってデータの読み書きをする場合、応答性の遅さが必ずしも解消できるとは限らない。【０００７】
そこで本発明は、媒体に保存される医用画像を管理し、医用画像とともに媒体に保存される管理ファイルであるDICOMDIRファイルのサイズ総量を小さくして、媒体でのデータの読み書きにおける応答性を向上させる医用画像管理装置及び医用画像管理方法を提供することを目的とする。
【課題を解決するための手段】
【０００８】
上記目的を達成するために本発明は、媒体に保存される医用画像群の管理ファイルから規則性を抽出し、抽出された規則性に基づいて管理ファイルを圧縮して媒体に保存する医用画像管理装置及び医用画像管理方法である。【０００９】
具体的には、医用画像を媒体に保存する媒体入出力部と、媒体に保存される複数の医用画像の選択を受け付ける選択部と、選択された複数の医用画像を管理する管理ファイルを作成する管理ファイル作成部と、前記管理ファイルから規則性を抽出する規則性抽出部と、前記規則性に基づいて前記管理ファイルを圧縮する圧縮部と、を備えることを特徴とする。【００１０】
また、媒体に保存される複数の医用画像の選択を受け付ける選択ステップと、選択された複数の医用画像を管理する管理ファイルを作成する管理ファイル作成ステップと、前記管理ファイルから規則性を抽出する規則性抽出ステップと、前記規則性に基づいて前記管理ファイルを圧縮する圧縮ステップと、を備えることを特徴とする。
【発明の効果】
【００１１】
本発明によれば、媒体に保存される医用画像を管理し、医用画像とともに媒体に保存される管理ファイルであるDICOMDIRファイルのサイズ総量を小さくして、媒体でのデータの読み書きにおける応答性を向上させる医用画像管理装置及び医用画像管理方法を提供することができる。
【図面の簡単な説明】
【００１２】
【図１】本発明の医用画像管理装置のハードウェア構成を示す図
【図２】媒体にDICOM形式で保存されるデータ構造の例を示す図
【図３】第一の実施形態の要部の構成を示す図
【図４】第一の実施形態の媒体保存処理の流れを示す図
【図５】ステップ304の処理の流れの一例を示す図
【図６】ステップ304の処理の流れの他の例を示す図
【図７】医用画像のリストの例を示す図
【図８】規則性の記録の例を示す図
【図９】圧縮されたDICOMDIRファイルの構造の例を示す図
【図１０】第一の実施形態の媒体読出処理の流れを示す図
【図１１】媒体に保存された画像のリストの一例を示す図
【図１２】第二の実施形態の要部の構成を示す図
【図１３】第二の実施形態の媒体保存処理の流れを示す図
【図１４】並べ替えをする前の画像の並びを示す図
【図１５】並べ替えをした後の画像の並びを示す図
【図１６】第二の実施形態の媒体読出処理の流れを示す図
【発明を実施するための形態】
【００１３】
以下、添付図面に従って本発明に係る医用画像管理装置の好ましい実施形態について説明する。なお、以下の説明及び添付図面において、同一の機能構成を有する構成要素については、同一の符号を付することにより重複説明を省略することにする。
【００１４】
図1は医用画像管理装置1のハードウェア構成を示す図である。医用画像管理装置1は、CPU(Central Processing Unit)2、主メモリ3、記憶装置4、表示メモリ5、表示装置6、マウス8に接続されたコントローラ7、キーボード9、ネットワークアダプタ10、媒体入出力部15がシステムバス11によって信号送受可能に接続されて構成される。医用画像管理装置1は、ネットワーク12を介して医用画像撮影装置13や医用画像データベース14と信号送受可能に接続される。ここで、「信号送受可能に」とは、電気的、光学的に有線、無線を問わずに、相互にあるいは一方から他方へ信号送受可能な状態を示す。
【００１５】
CPU2は、各構成要素の動作を制御する装置である。CPU2は、記憶装置4に格納されるプログラムやプログラム実行に必要なデータを主メモリ3にロードして実行する。記憶装置4は、医用画像撮影装置13により撮影された医用画像を格納する装置であり、具体的にはハードディスク等である。医用画像はLAN（Local Area Network）等のネットワーク12を介して医用画像撮影装置13や医用画像データベース14から取得される。また、記憶装置4には、CPU2が実行するプログラムやプログラム実行に必要なデータが格納される。主メモリ3は、CPU2が実行するプログラムや演算処理の途中経過を記憶するものである。
【００１６】
表示メモリ5は、液晶ディスプレイやCRT(Cathode Ray Tube)等の表示装置6に表示するための表示データを一時格納するものである。マウス8やキーボード9は、操作者が医用画像管理装置1に対して操作指示を行う操作デバイスである。マウス8はトラックパッドやトラックボールなどの他のポインティングデバイスであっても良い。コントローラ7は、マウス8の状態を検出して、表示装置6上のマウスポインタの位置を取得し、取得した位置情報等をCPU2へ出力するものである。ネットワークアダプタ10は、医用画像管理装置1をLAN、電話回線、インターネット等のネットワーク12に接続するためのものである。
【００１７】
医用画像撮影装置13は、被検体の断層画像等の医用画像を取得する装置である。医用画像撮影装置13は、例えば、MRI装置やX線CT装置、超音波診断装置、シンチレーションカメラ装置、PET装置、SPECT装置など、である。医用画像データベース14は、医用画像撮影装置13によって撮影された医用画像を記憶するデータベースシステムである。
【００１８】
媒体入出力部15は、媒体にデータを保存したり、媒体からデータを読み出したりする装置である。ここで、媒体とはCD(Compact Disc)やDVD(Digital Versatile Disc)、USB(Universal Serial Bus)メモリ、USB-HDD(Universal Serial Bus-Hard Disk Drive)等を含むリムーバブルメディアを指す。
【００１９】
次に図2を用いて、媒体に医用画像をDICOM形式で保存するときのデータ構造について説明する。DICOM形式で媒体に医用画像を保存する場合、媒体には医用画像ファイルと医用画像ファイルを管理するDICOMDIRファイルとが保存される。なお、医用画像ファイルとDICOMDIRファイル以外にDICOM形式ではない非DICOMファイルが媒体に保存されても良い。医用画像ファイルは画像のピクセルデータの集合体である。DICOMDIRファイルは図2に示すように、患者DR(Directory Record)、スタディDR、シリーズDR、画像DRを含む階層構造を有しており、簡易データベースの索引としても利用される。
【００２０】
DICOMDIRファイル中の各DRには次のようなデータが記述される。患者DRには患者名や患者ID、生年月日、性別等の患者情報が記述される。スタディDRには検査日付や検査時刻等の検査情報が記述される。シリーズDRにはCT、MRといったモダリティやモダリティの製造業者、画像同士の関連性等のシリーズ情報が記述される。画像DRには画像収集時刻や画像番号、画素数(縦、横)、画像階調度(画素当たりのビット数)、医用画像ファイルへのアドレス等の画像情報が記述される。
【００２１】
このように、DICOMDIRファイルには様々なデータが記述され、医用画像の枚数が膨大になるほど、DICOMDIRファイルのサイズ総量も大きくなる。DICOMDIRファイルのサイズ総量が大きくなると、媒体でのデータの読み書きにおける応答性を低下させる。そこで、以下の実施形態では、DICOMDIRファイルのサイズ総量を小さくし、媒体でのデータの読み書きにおける応答性を向上させる。
【００２２】
[第1の実施形態]
図3を用いて本実施形態の要部について説明する。本実施形態は、選択部201、管理ファイル作成部202、規則性抽出部203、管理ファイル圧縮部204、圧縮ファイル解凍部205、リスト作成部206を備える。各部201〜206は、専用のハードウェアにより構成されても良いし、CPU2が後述する処理の流れを実行することにより構成されても良い。各部201〜206が専用のハードウェアにより構成される場合はシステムバス11を介してCPU2に接続される。
【００２３】
選択部201は、記憶装置4または医用画像撮影装置13、医用画像データベース14に記憶された複数の医用画像の中から、媒体に保存する医用画像を選択する処理を実行する。例えば、記憶装置4に記憶された複数の医用画像のリストが表示装置6に表示され、表示されたリストの中から、操作者がマウス8やキーボード9等を用いて選択した医用画像を選択部201が受け付ける。
【００２４】
管理ファイル作成部202は、選択部201が受け付けた医用画像を管理するDICOMDIRファイルを管理ファイルとして作成する。管理ファイルであるDICOMDIRファイルの作成は、DICOM規格に従って行われる。
【００２５】
規則性抽出部203は、管理ファイル作成部202によって作成された管理ファイルの各DRを解析し、その並びから規則性を抽出する。例えば、シリーズDRの中の数値データとしてスライスポジションに着目すると、画像リストの先頭の画像位置を基準値とし、先頭に続く画像では一定値が順次加算された画像位置となることがある。このような場合には、前の画像の画像位置に対し一定値が加算されるという規則性が抽出される。また、同一患者の経過診断をする場合には、全ての画像の患者情報が同一となるため、患者DRの文字データが全て同じであるという規則性が抽出される。
【００２６】
管理ファイル圧縮部204は、規則性抽出部203により抽出された規則性に基づいて、管理ファイルを圧縮して圧縮ファイルを作成する。圧縮ファイルは管理ファイルよりもサイズ総量が小さいファイルである。管理ファイル圧縮部204が作成した圧縮ファイルは、医用画像ファイルとともに媒体入出力部15に送信され、媒体に保存される。
【００２７】
圧縮ファイル解凍部205は、管理ファイル圧縮部204により作成され、媒体に保存された圧縮ファイルを読出し、規則性抽出部203により抽出された規則性に基づいて、圧縮ファイルを解凍して管理ファイルを作成する。例えば、前の画像の画像位置に対し一定値が加算されるという規則性が記述された圧縮ファイルであれば、前の画像の画像位置に一定値を順次加算して各画像の画像位置を求めることにより、管理ファイルが作成される。
【００２８】
リスト作成部206は、圧縮ファイル解凍部205により作成された管理ファイルを用いて、媒体に保存されている医用画像のリストを作成し、作成したリストを表示装置6に表示させる。
【００２９】
図4を用いて、以上の構成を備える医用画像管理装置1が実行する媒体保存処理の流れについて説明する。
【００３０】
(ステップ301)
CPU2は、記憶装置4に記憶された複数の医用画像を読出し、読み出した医用画像のリストを表示装置6に表示させる。図7に医用画像のリストの例を示す。図7のリストでは、患者ID、患者氏名、検査日、モダリティ、断層像のスライス位置、画像番号が表示項目とされているが、表示項目はこれらに限定されるものではない。リストとして表示される医用画像は、記憶装置4からの読出しに限らず、ネットワーク12を介して医用画像撮影装置13もしくは医用画像データベース14から読み出されても良い。
【００３１】
(ステップ302) 
選択部201は、図7に示したようなリストから選択された医用画像を受け付ける。図7では、選択された画像の行を色付けし、文字を白文字にして示している。すなわち、患者IDがnnn2、患者氏名がbbbb、検査日がxx/xx、スライス位置がs01とs02、画像番号がimg3とimg4の2つの医用画像が選択されている。医用画像の選択は、操作者がマウス8やキーボード9等を用いてリスト上で指定することにより行っても良いし、指定された検索条件に従って抽出することにより行っても良い。検索条件に従って抽出した医用画像を媒体に保存する場合は、ステップ301の処理を実行しなくても良い。
【００３２】
(ステップ303) 
管理ファイル作成部202は、選択部201が受け付けた医用画像に基づいて、これらの医用画像を管理するDICOMDIRファイルを管理ファイルとして作成する。管理ファイルであるDICOMDIRファイルの作成は、DICOM規格に従って行われる。
【００３３】
(ステッ304) 
規則性抽出部203は管理ファイルから規則性を抽出し、管理ファイル圧縮部204は抽出された規則性に基づいて管理ファイルを圧縮することにより圧縮ファイルを作成する。圧縮ファイルは管理ファイルよりもサイズ総量が小さいファイルである。本ステップの詳細内容の例について、図5および図6を用いて説明する。
【００３４】
まず図5の処理フローについて説明する。
【００３５】
(ステップ401)
規則性抽出部203は、医用画像の管理ファイルであるDICOMDIRファイルの中から数値データを抽出する。例えば、シリーズDRの中の数値データとしてスライスポジションが抽出される。
【００３６】
(ステップ402)
規則性抽出部203は、抽出された数値データの並びに基づいて、基準値を設定するとともに前データとの差分を順次算出する。例えば、抽出された数値データがスライスポジションである場合、選択部が受け付けた医用画像の中の先頭画像(すなわち1番目の画像)のスライスポジションが基準値として設定される。また、先頭画像の次の画像(すなわち2番目の画像)のスライスポジションと先頭画像(1番目の画像)のスライスポジションとの差分、さらに3番目の画像のスライスポジションと2番目の画像のスライスポジションとの差分、…というように前データとの差分が順次算出される。
【００３７】
(ステップ403)
規則性抽出部203は、等しい差分値が連続する画像間を抽出する。また、差分値が異なる画像間を抽出した場合は、抽出された画像間のいずれか一方の画像の数値データを新たな基準値として設定するとともに、以降の数値データの並びに基づいて前データとの差分を順次算出する。
【００３８】
このようにステップ402及びステップ403を実行することにより、画像の並びのある範囲において基準値に対し一定値が加算し続けられるという規則性が抽出されることになる。このように抽出された規則性は、例えば図8に示すような表形式で記録される。図8の中の「規則性1」では先頭のスライスポジションが基準値1であり、次のスライスポジションが基準値1+差分値1、さらに次のスライスポジションが基準値1+2*差分値1となることが記録されている。画像の並びのある範囲においてスライスポジションが全て同じである場合は、差分値がゼロとして記録される。
【００３９】
そして、図8に示したような規則性は、例えば図9に示すようにDICOMDIRファイル中の適切なDRに記録される。図9のDICOMDIRファイルでは、シリーズ1に規則性1が、シリーズ2に規則性2がそれぞれ記録されることが示されている。すなわちシリーズ1の中の画像は、先頭のスライスポジションが基準値1であり、以降のスライスポジションは差分値1が順次加算された値であり、シリーズ2の中の画像は、先頭のスライスポジションが基準値2であり、以降のスライスポジションは差分値2が順次加算された値である。
【００４０】
図9に示すようなDICOMDIRファイルが作成されることにより、従来は全画像のシリーズDRに記録されていたスライスポジションが、差分値が等しい範囲において、スライスポジションに関する記録が一部不要となるため、DICOMDIRファイルのサイズを小さくすることができる。すなわち管理ファイル作成部202が作成したDICOMDIRファイルを管理ファイル圧縮部204が圧縮し、圧縮ファイルが作成されることになる。
【００４１】
次に図6の処理フローについて説明する。
【００４２】
(ステップ411)
規則性抽出部203は、医用画像の管理ファイルであるDICOMDIRファイルの中から文字データを抽出する。例えば、患者DRの中の文字データとして患者氏名が抽出される。
【００４３】
(ステップ412)
規則性抽出部203は、抽出された文字データの並びに基づいて、基準データを設定するとともに前データと等しいデータを抽出する。例えば、抽出された文字データが患者氏名である場合、選択部が受け付けた医用画像の並びの中に異なる患者氏名が出現するか否かを判定する。
【００４４】
(ステップ413)
規則性抽出部203は、前データと異なるデータを抽出した場合は、抽出された異なるデータを新たな基準データとして設定するとともに、以降の文字データの並びに基づいて前データと等しいデータを抽出する。
【００４５】
このようにステップ412及びステップ413を実行することにより、画像の並びのある範囲において基準データと等しいデータを有する画像が並んでいるという規則性が抽出されることになる。このように抽出された規則性は、例えば図8の中の「規則性3」のように記録される。すなわち「規則性3」では、患者氏名が基準文字列3である画像が連続することが記録されている。
【００４６】
文字データの場合であっても、抽出された規則性がDICOMDIRファイル中の適切なDRに記録されることにより、DICOMDIRファイルのサイズが小さくなる。すなわち管理ファイル作成部202が作成したDICOMDIRファイルを管理ファイル圧縮部204が圧縮し、圧縮ファイルが作成されることになる。
【００４７】
(ステップ305)
媒体入出力部15は、管理ファイル圧縮部204が作成した圧縮ファイルを、選択部201が受け付けた医用画像ファイルとともに媒体に保存する。
【００４８】
以上の処理の流れを医用画像管理装置1が実行するにより、媒体に保存される医用画像を管理する管理ファイルであるDICOMDIRファイルのサイズ総量を小さくすることできる。その結果、媒体へのデータ書き込みにおける応答性を向上させる医用画像管理装置及び医用画像管理方法を提供することができるようになる。
【００４９】
次に図10を用いて、媒体に記録された圧縮ファイルから、媒体に記録された医用画像を読み出す媒体読出処理の流れについて説明する。
【００５０】
(ステップ306)
圧縮ファイル解凍部205は、媒体に保存された圧縮ファイルを読出し、圧縮ファイルを解凍する。圧縮ファイルを解凍することにより、管理ファイル作成部202が作成した管理ファイルと同一の管理ファイルが作成される。圧縮ファイルの解凍には、規則性抽出部203により抽出された規則性が用いられる。例えば、図8中の「規則性1」であれば、先頭画像のスライスポジションを基準値1とし、先頭画像に続く各画像のスライスポジションを基準値1に差分値1を順次加算した値とする。
【００５１】
(ステップ307)
リスト作成部206は、圧縮ファイル解凍部205により作成された管理ファイルを用いて、媒体に保存されている医用画像のリストを作成し、作成したリストを表示装置6に表示させる。図11に、表示装置6に表示されるリストの例を示す。図11のリストは、図7で色付けされた行の画像が媒体に保存された場合のものである。
【００５２】
以上の処理の流れを医用画像管理装置1が実行するにより、媒体から読みだされるファイルは管理ファイルよりサイズの小さい圧縮ファイルであるので、媒体からのデータ読み出しにおける応答性を向上させる医用画像管理装置及び医用画像管理方法を提供することができるようになる。
【００５３】
[第2の実施形態]
図12〜図16を用いて、第2の実施形態について説明する。なお、第1の実施形態と同一の構成については、説明の重複を避けるため、同符号を付けて詳細な説明は省略する。本実施形態では、規則性抽出部203がデータの並びから規則性を抽出するに先立ち、データを並べ替えることにより、効率良く規則性を抽出する。以下、第1の実施形態と異なる構成について主に説明する。
【００５４】
図12を用いて本実施形態の要部について説明する。本実施形態は、第1の実施形態に対し、並べ替え部210と並べ戻し部211を更に備える。並べ替え部210と並べ戻し部211以外の各部201〜206については第1の実施形態と略同一である。並べ替え部210と並べ戻し部211は、専用のハードウェアにより構成されても良いし、CPU2が後述する処理の流れを実行することにより構成されても良い。並べ替え部210と並べ戻し部211が専用のハードウェアにより構成される場合はシステムバス11を介してCPU2に接続される。以下、並べ替え部210と規則性抽出部203、並べ戻し部211、リスト作成部206について説明する。
【００５５】
並べ替え部210は、管理ファイル作成部202によって作成された管理ファイルの少なくとも一つのDRに従って、管理ファイルの中の並びを並べ替える。並べ替えは、昇順でも降順でも構わない。なお、並べ替えた後で、並べ替え前の状態に戻せるように、並べ替え前の番号を付与するようにしても良い。
【００５６】
規則性抽出部203は、並べ替え部210によって並べ替えが行われた管理ファイルの各DRを解析し、その並びから規則性を抽出する。
【００５７】
並べ戻し部211は、並べ替え部210によって並べ替えられた管理ファイルの中の並びを元に並べ戻す。並べ戻しには、並べ替え部210によって付与された並べ替え前の番号を参照しても良いし、それ以外の方法により並べ戻しても良い。
【００５８】
リスト作成部206は、並べ戻し部211によって並べ戻された管理ファイルを用いて、媒体に保存されている医用画像のリストを作成し、作成したリストを表示装置6に表示させる。
【００５９】
図13を用いて、以上の構成を備える医用画像管理装置1が実行する媒体保存処理の流れについて説明する。なお、第1の実施形態と同じ処理を実行するステップについては説明を省略する。
【００６０】
(ステップ301〜303)
第1の実施形態と同様に、選択された医用画像を管理するDICOMDIRファイルを管理ファイルとして作成する。
【００６１】
(ステップ310)
並べ替え部210は、管理ファイル作成部202が作成した管理ファイルを、あるデータ項目の値に従って並べ替える。並べ替えは、昇順でも降順でも構わない。並べ替え処理の一例について、図14と図15を用いて説明する。
【００６２】
図14は並べ替え前の画像の並びであり、図15は並べ替え後の画像の並びである。図14の画像の並びでは、患者ID、検査日、モダリティはいずれも同一であり、スライス位置と画像アドレスが画像毎に異なっている。また、画像間のスライス位置の差分値が、4、-2、4となっており一定値となっていない。この並びのまま規則性を抽出して管理ファイルを圧縮しようとした場合、図14に示した画像の並びの範囲ではスライス位置に関する記録を省略することができず、結果として管理ファイルを圧縮できない。
【００６３】
そこで、スライス位置の値が昇順となるように並べ替えると、画像間のスライス位置の差分値が、2、2、2となり一定値で表せるようになる。すなわち、圧縮できなかった管理ファイルの中の並びを並べ替えることにより、圧縮できる状態にすることが可能となる。なお、並べ替え処理後の並びの画像間の差分値に従って、さらに並べ替え処理を実行しても良い。
【００６４】
また、並べ替え前の並びに対し、並べ替え前番号を予め付与しておくことにより、例えばスライス位置の値に従って並べ替え処理をした後でも、並べ替え前番号を参照することにより、並べ替え前の並びに戻すことができる。
【００６５】
(ステップ304)
規則性抽出部203は並べ替えがなされた管理ファイルから規則性を抽出し、管理ファイル圧縮部204は抽出された規則性に基づいて並べ替えがなされた管理ファイルを圧縮することにより圧縮ファイルを作成する。圧縮ファイルを作成する処理の流れは第1の実施形態と同様である。
【００６６】
(ステップ305)
第1の実施形態と同様に、圧縮ファイルが媒体に保存される。
【００６７】
以上の処理の流れを医用画像管理装置1が実行するにより、圧縮することができなかった管理ファイルであっても圧縮することができるようになる。
【００６８】
次に図16を用いて、図13の処理の流れにより媒体に記録された圧縮ファイルから、媒体に記録された医用画像を読み出す媒体読出処理の流れについて説明する。なお、第1の実施形態と同じ処理を実行するステップについては説明を省略する。
【００６９】
(ステップ306)
第1の実施形態と同様に、圧縮ファイルが読出され、解凍される。
【００７０】
(ステップ311)
並べ戻し部311は、解凍された圧縮ファイル、すなわち並べ替えられた状態の管理ファイルを並べ戻す。並べ戻し処理には、例えば図14、15に示した並べ替え前番号を用いて、並べ替え前番号が昇順となるように画像の並びを並べ替えても良い。
【００７１】
(ステップ307)
リスト作成部206は、並べ戻し部311によって並べ戻された管理ファイル、すなわち管理ファイル作成部202によって作成された管理ファイルを用いて、媒体に保存されている医用画像のリストを作成し、表示装置6に表示させる。
【００７２】
以上の処理の流れを医用画像管理装置1が実行するにより、媒体から読みだされるファイルは管理ファイルよりサイズの小さい圧縮ファイルであるので、媒体からのデータ読み出しにおける応答性を向上させる医用画像管理装置及び医用画像管理方法を提供することができるようになる。
【００７３】
なお、本発明の医用画像管理装置は上記実施形態に限定されるものではなく、発明の要旨を逸脱しない範囲で構成要素を変形して具体化できる。また、上記実施形態に開示されている複数の構成要素を適宜組み合わせても良い。さらに、上記実施形態に示される全構成要素からいくつかの構成要素を削除しても良い。
【符号の説明】
【００７４】
1  医用画像管理装置、2  CPU、3  主メモリ、4  記憶装置、5  表示メモリ、6  表示装置、7  コントローラ、8  マウス、9  キーボード、10  ネットワークアダプタ、11  システムバス、12  ネットワーク、13  医用画像撮影装置、14  医用画像データベース、201  選択部、202  管理ファイル作成部、203  規則性抽出部、204  管理ファイル圧縮部、205  圧縮ファイル解凍部、206  リスト作成部、210  並べ替え部、211  並べ戻し部
【図１】
2015008650.tif 000003
【図２】
2015008650.tif 000004
【図３】
2015008650.tif 000005
【図４】
2015008650.tif 000006
【図５】
2015008650.tif 000007
【図６】
2015008650.tif 000008
【図７】
2015008650.tif 000009
【図８】
2015008650.tif 000010
【図９】
2015008650.tif 000011
【図１０】
2015008650.tif 000012
【図１１】
2015008650.tif 000013
【図１２】
2015008650.tif 000014
【図１３】
2015008650.tif 000015
【図１４】
2015008650.tif 000016
【図１５】
2015008650.tif 000017
【図１６】
2015008650.tif 000018
【国際調査報告】
2015008650.tif 000019
2015008650.tif 000020
2015008650.tif 000021
2015008650.tif 000022